(57)【要約】【課題】室間で室内空気を送風して部屋の二酸化炭素濃度及び温湿度を最適化する空調システムを提供することを課題とする。【解決手段】複数の部屋を有する建物の空調システムにおいて、前記複数の部屋の少なくとも１つの部屋と隣接する他の部屋との側壁には、室内空気を送風する室間ファンを備え、所定の条件を満たせば前記室間ファンを運転する。【選択図】        図１
2005090824.tif 000002
【特許請求の範囲】
【請求項１】
複数の部屋を有する建物の空調システムであって、
前記複数の部屋の少なくとも１つの部屋と隣接する他の部屋との側壁には、室内空気を送風する室間ファンを備え、
所定の条件を満たせば前記室間ファンを運転する制御手段を備えている、建物の空調システム。
【請求項２】
前記建物には、前記建物外と連通し自然給気する給気口と、室内空気を前記建物外へ排出する排気ファンを備え、
前記給気口で給気した空気を前記室間ファンを介して送風すると共に前記排気ファンで排気する、請求項１に記載の建物の空調システム。
【請求項３】
前記室間ファンは、一方の部屋の空気を他方の部屋へ送風して熱及び／又は水分を移動させる、請求項１〜２のいずれか１項に記載の建物の空調システム。
【請求項４】
前記少なくとも１つの部屋には第１の湿度計、第１の温度計、二酸化炭素濃度計を備え、また前記隣接する他の部屋には第２の湿度計、第２の温度計を備え、
前記所定の条件は、前記二酸化炭素濃度計が所定の濃度を超えることであり、または前記第１の温度計が第２の所定の温度を超え且つ前記第１の温度計と前記第２の温度計の温度差が第１の所定の温度差を超えることであり、または前記第１の湿度計が第１の所定の相対湿度を超えることであり、または前記第１の湿度計と前記第２の湿度計の絶対湿度差が第１の所定の絶対湿度差を超えることであり、または前記第１の温度計が第１の所定の温度を超え且つ第１の所定の時刻と現在時刻の時刻差が第１の所定の時刻差未満となることであり、少なくとも１つを満たせば条件成立である、請求項１〜３のいずれか１項に記載の建物の空調システム。
【請求項５】
前記少なくとも１つの部屋には第１の湿度計、第１の温度計、二酸化炭素濃度計を備え、また前記隣接する他の部屋には第２の湿度計、第２の温度計を備え、
前記所定の条件は、前記二酸化炭素濃度計が所定の濃度を超えることであり、または前記第１の温度計が第４の所定の温度未満且つ前記第２の温度計と前記第１の温度計の温度差が第２の所定の温度差を超えることであり、または前記第２の湿度計が第２の所定の相対湿度を超えることであり、または前記第２の湿度計と前記第１の湿度計の絶対湿度差が第２の所定の絶対湿度差を超えることであり、または前記第１の温度計が第３の所定の温度を超え且つ第２の所定の時刻と現在時刻の時刻差が第２の所定の時刻差未満となることであり、少なくとも１つを満たせば条件成立である、請求項１〜３のいずれか１項に記載の建物の空調システム。
【請求項６】
前記少なくとも１つの部屋には第１の湿度計、第１の温度計、二酸化炭素濃度計を備え、また前記隣接する他の部屋には第２の湿度計を備え、
前記所定の条件は、前記二酸化炭素濃度計が所定の濃度を超えることであり、または前記第１の温度計が第５の所定の温度を超えることであり、または前記第１の湿度計が第３の所定の相対湿度を超えることであり、または前記第１の湿度計と前記第２の湿度計の絶対湿度差が第３の所定の絶対湿度差を超えることであり、少なくとも１つを満たせば条件成立である、請求項１〜３のいずれか１項に記載の建物の空調システム。
【発明の詳細な説明】
【技術分野】
【０００１】
本発明は、複数の部屋を有する建物の空調システムに関する。
【背景技術】
【０００２】
従来より、住宅内の空調システムとして、在室者の有無を検出する検出手段と空気の汚染度を検出する検出手段を備え、各検出手段の検出結果により隣接する部屋間（例えば、隣接する部屋どうし、もしくは隣接する部屋と共通空間（廊下、バス等）との間、もしくは隣接する共通空間どうし等）に設けた室間ファンもしくは室内の空気を屋外へ送風する排気ファンを運転していた。
【０００３】
しかしながら、従来の空調システムでは室内の温湿度、室間温湿度差等を検出しないためヒートショックや皮膚の過乾燥などの疾患においては、一般的な居住者はもとより、高齢者やアトピー性皮膚患者などの環境弱者に対して快適な空間を提供できなかった。また室間ファンを運転して、例えば暖められた部屋の空気を暖められていない部屋へ送風することにより暖められていない部屋の空気を暖めることができるが、室内の温湿度、室間温湿度差等を検出しないため温湿度調整ができず、室間ファンは換気目的にしか使用できなかった。
【特許文献１】特開平１１−２２３３７０号公報
【発明の開示】
【発明が解決しようとする課題】
【０００４】
本発明は、このような点に鑑みて創案されたものであり、室間で室内空気を送風して部屋の二酸化炭素濃度及び温湿度を最適化する空調システムを提供することを課題とする。
【課題を解決するための手段】
【０００５】
上記課題を解決するための手段として、本発明の第１発明は、請求項１に記載されたとおりの建物の空調システムである。
請求項１に記載の建物の空調システムは、複数の部屋を有する建物の空調システムにおいて、前記複数の部屋の少なくとも１つの部屋と隣接する他の部屋との側壁には、室内空気を送風する室間ファンを備え、所定の条件を満たせば前記室間ファンを運転する制御手段を備えている。これにより、所定の条件を満たせば、室間ファンによって隣接する部屋間で室内空気を送風できる。
【０００６】
本発明の第２発明は、請求項２に記載されたとおりの建物の空調システムである。
請求項２に記載の建物の空調システムは、建物に前記建物外と連通し自然給気する給気口と、室内空気を前記建物外へ排出する排気ファンを備え、前記給気口で給気した空気を前記室間ファンを介して送風すると共に前記排気ファンで排気する。これにより、前記建物の部屋を換気通路として給気口で給気した空気を前記室間ファンを介して送風すると共に前記排気ファンで排気して建物の換気ができる。
【０００７】
本発明の第３発明は、請求項３に記載されたとおりの建物の空調システムである。
請求項３に記載の建物の空調システムにおいて、室間ファンは一方の部屋の空気を他方の部屋へ送風して熱及び／又は水分を移動させることができる。これにより室間で室内空気を送風して部屋の二酸化炭素濃度及び／又は温湿度を最適化することができる。
【０００８】
本発明の第４発明は、請求項４に記載されたとおりの建物の空調システムである。
請求項４に記載の建物の空調システムは、少なくとも１つの部屋には第１の湿度計、第１の温度計、二酸化炭素濃度計を備え、また前記隣接する他の部屋には第２の湿度計、第２の温度計を備え、前記二酸化炭素濃度計が所定の濃度を超える、または前記第１の温度計が第２の所定の温度を超え且つ前記第１の温度計と前記第２の温度計の温度差が第１の所定の温度差を超える、または前記第１の湿度計が第１の所定の相対湿度を超える、または前記第１の湿度計と前記第２の湿度計の絶対湿度差が第１の所定の絶対湿度差を超える、または前記第１の温度計が第１の所定の温度を超え且つ第１の所定の時刻と現在時刻の時刻差が第１の所定の時刻差未満となることの少なくとも１つを満たせば室間ファンを運転する。これにより、例えば暖房を使用する冬季に室間で室内空気を送風して部屋の二酸化炭素濃度及び／又は温湿度を最適化することができる。
【０００９】
本発明の第５発明は、請求項５に記載されたとおりの建物の空調システムである。
請求項５に記載の建物の空調システムは、少なくとも１つの部屋には第１の湿度計、第１の温度計、二酸化炭素濃度計を備え、また前記隣接する他の部屋には第２の湿度計、第２の温度計を備え、前記二酸化炭素濃度計が所定の濃度を超える、または前記第１の温度計が第４の所定の温度未満且つ前記第２の温度計と前記第１の温度計の温度差が第２の所定の温度差を超える、または前記第２の湿度計が第２の所定の相対湿度を超える、または前記第２の湿度計と前記第１の湿度計の絶対湿度差が第２の所定の絶対湿度差を超える、または前記第１の温度計が第３の所定の温度を超え且つ第２の所定の時刻と現在時刻の時刻差が第２の所定の時刻差未満となることの少なくとも１つを満たせば室間ファンを運転する。これにより、例えば冷房を使用する夏季に室間で室内空気を送風して部屋の二酸化炭素濃度及び／又は温湿度を最適化することができる。
【００１０】
本発明の第６発明は、請求項６に記載されたとおりの建物の空調システムである。
請求項６に記載の建物の空調システムは、少なくとも１つの部屋には第１の湿度計、第１の温度計、二酸化炭素濃度計を備え、また前記隣接する他の部屋には第２の湿度計を備え、前記二酸化炭素濃度計が所定の濃度を超える、または前記第１の温度計が第５の所定の温度を超える、または前記第１の湿度計が第３の所定の相対湿度を超える、または前記第１の湿度計と前記第２の湿度計の絶対湿度差が第３の所定の絶対湿度差を超えることの少なくとも１つを満たせば室間ファンを運転する。これにより、例えば冷暖房を使用しない春秋季に室間で室内空気を送風して部屋の二酸化炭素濃度及び／又は温湿度を最適化することができる。
【発明の効果】
【００１１】
請求項１に記載の建物の空調システムを用いれば、室間ファンによって隣接する部屋間で室内空気を送風できる。
また請求項２に記載の建物の空調システムを用いれば、前記建物の部屋を換気通路として給気口で給気した空気を前記室間ファンを介して送風すると共に前記排気ファンで排気して建物の換気ができる。
また請求項３に記載の建物の空調システムを用いれば、室間で室内空気を送風して部屋の二酸化炭素濃度及び／又は温湿度を最適化することができる。
また請求項４に記載の建物の空調システムを用いれば、冬季に室間で室内空気を送風して部屋の二酸化炭素濃度及び／又は温湿度を最適化することができ、また居住者にヒートショックや皮膚／粘膜の過乾燥が発生することなく、居住者が高齢者やアトピー性皮膚炎患者などの環境弱者であっても快適に過ごすことができる。
また請求項５に記載の建物の空調システムを用いれば、夏季に室間で室内空気を送風して部屋の二酸化炭素濃度及び／又は温湿度を最適化することができ、また居住者が高齢者やアトピー性皮膚炎患者などの環境弱者であっても快適に過ごすことができる。
また請求項６に記載の建物の空調システムを用いれば、春秋季に室間で室内空気を送風して部屋の二酸化炭素濃度及び／又は温湿度を最適化することができる。
【発明を実施するための最良の形態】
【００１２】
本発明の実施例について図面を参照して説明する。図１は、本発明の建物１の空調システム及び空調方法の一例を示す説明図である。図１に記す建物１は平屋の住宅であり複数の部屋、例えば、居間１０、寝室２０、廊下３０、バス（風呂）４０にて構成されており、以下、本構成を例に説明する。居間１０と寝室２０は互いに隣接する配置であると共に、それぞれ廊下３０にも隣接する配置である。またバス４０は前記廊下３０にのみ隣接するように配置してある。そして、建物１内の部屋間に設けた室間ファン１５、２１によって室内の二酸化炭素濃度、温度、湿度を制御する。この制御は、暖房器具を使用して部屋を暖める冬季、冷房器具を使用して部屋を冷却する夏季、暖房器具または冷房器具をいずれも使用しない時期（以下、「中間季（春秋季）」と記す）の３形態に大別される。この３形態を第１〜第３の実施の形態とし順に説明する。
【００１３】
■［第１の実施の形態（冬季）］
●［各部屋の内部構成］
まず各部屋１０、２０、３０、４０の内部構成について各々順に説明する。居間１０には居間１０の室内と建物１の屋外とを連通し自然給気する給気口１４が屋外と隣接する側壁に設けてあり、前記給気口１４は建物１の屋外の空気（外気）を自然給気により居間１０へ取り入れることができる。また居間１０には居間１０の空気を隣接する廊下３０へ送風する室間ファン１５が前記廊下３０と隣接する側壁に設けてある。また居間１０には居間１０の空気を隣接する寝室２０へ送風する室間ファン２１が前記寝室２０と隣接する側壁に設けてある。また居間１０には所定の燃料（例えば、都市ガス、プロパンガス等）を使用する冷暖房器具である空調機１６が設けてある。この空調機１６は居間１０の室内温度が所定の設定値（例えば、２２℃）となるように暖房運転している。
【００１４】
また居間１０には居間１０の室内の湿度を測定可能な第１の湿度計１１と居間１０の室内の温度を測定可能な第１の温度計１２と居間１０の室内の二酸化炭素濃度を測定可能な濃度計１３が設けてある。なお、この第１の湿度計１１で測定した相対湿度を「Φａ」、この相対湿度から算出した絶対湿度を「Ｘａ」、この第１の温度計１２で測定した温度を「Ｔａ」、この濃度計１３で測定した濃度を「Ｍａ」とする。また居間１０には入力部（図１に記載なし）１７ａを備えた制御装置１７が設けてあり、この制御装置１７は前記室間ファン１５、２１を運転―停止する制御を行うが詳細は後述する。
【００１５】
次に寝室２０について説明する。寝室２０には寝室２０の室内と廊下３０の廊下内とを連通する開口２２が廊下３０と隣接する側壁に設けてあり、前記開口２２は寝室２０の室内空気を廊下３０へ排出することができる。
【００１６】
次に廊下３０について説明する。廊下３０には廊下３０の廊下内とバス４０の室内とを連通する開口３３がバス４０と隣接する側壁に設けてあり、前記開口３３は廊下３０の廊下内空気をバス４０へ排出することができる。また廊下３０には廊下３０の廊下内の湿度を測定可能な第２の湿度計３１と廊下１０の廊下内の温度を測定可能な第２の温度計３２が設けてある。なお、この第２の湿度計３１で測定した相対湿度を「Φｃ」、この相対湿度から算出した絶対湿度を「Ｘｃ」、この第２の温度計３２で測定した温度を「Ｔｃ」、とする。
【００１７】
次にバス４０について説明する。バス４０にはバス内の空気を隣接する屋外へ送風する排気ファン４１が前記屋外と隣接する側壁に設けてある。なお、居住者は排気ファンスイッチ（図、符号なし）の操作により前記排気ファン４１を任意に運転−停止可能であるが、本発明では、この排気ファン４１は常時運転とし建物１に対して１時間あたりの換気回数が０．５回以上となる換気能力を有するものである。
【００１８】
●［制御装置］
次に制御装置１７について説明する。前記制御装置１７は、図２のブロック図に記すように入力部１７ａ、各湿度計１１、３１、各温度計１２、３２、濃度計１３及び各室間ファン１５、２１と電気的に接続している。そして、制御装置１７は、予め設定した所定の条件に基づいて、各室間ファン１５、２１を運転−停止する制御を行っている。以下にこの所定の条件について説明する。
【００１９】
●［所定の条件］
この所定の条件は、各室間ファン１５、２１毎に異なるため個別に説明する。
（１）室間ファン１５を運転する所定の条件とは、下記ａ）〜ｄ）に記す第１〜第４の条件の少なくとも１つである。
ａ）第１の条件は、居間１０の二酸化炭素濃度計１３で測定した濃度「Ｍａ」＞所定の二酸化炭素濃度「Ｍｏ」である。この所定の二酸化炭素濃度「Ｍｏ」は、例えば「３０００ｐｐｍ」である。
ｂ）第２の条件は、居間１０の第１の温度計１２で測定した温度「Ｔａ」＞第２の所定の温度「Ｔ２」であり、且つ第１の温度計１２で測定した温度「Ｔａ」−第２の温度計３２で測定した温度「Ｔｃ」＞第１の所定の温度差「ΔＴ１」である。この第２の所定の温度「Ｔ２」は、例えば「１７℃」であり、第１の所定の温度差「ΔＴ１」は、例えば「７℃」である。
ｃ）第３の条件は、居間１０の第１の湿度計１１で測定した相対湿度「Φａ」＞第１の所定の相対湿度「Φ１」である。この第１の所定の相対湿度「Φ１」は、例えば「７０％ＲＨ」である。
ｄ）第４の条件は、居間１０の第１の湿度計１１で測定した絶対湿度「Ｘａ」−廊下３０の第２の湿度計３１で測定した絶対湿度「Ｘｃ」＞第１の所定の絶対湿度差「ΔＸ１」である。この第１の所定の絶対湿度差「ΔＸ１」は、例えば「２ｇ／ｋｇＤＡ」である。
【００２０】
（２）室間ファン２１を運転する所定の条件とは、下記ｅ）に記す第５の条件である。
ｅ）第５の条件は、居間１０の第１の温度計１１で測定した温度「Ｔａ」＞第１の所定の温度「Ｔ１」であり、且つ第１の所定の時刻「ｔ１」−現在時刻「ｔ」＜第１の所定の時刻差「Δｔ１」である。この第１の所定の温度「Ｔ１」は、例えば「１７℃」であり、第１の所定の時刻「ｔ１」は、例えば「２３：００」であり、この第１の所定の時刻差「Δｔ１」は、例えば「１時間」である。
このように制御装置１７は前記第１の条件〜第４の条件の少なくとも１つの条件を満たしたと判断すれば前記室間ファン１５に対して運転指令を送信し、同様に制御装置１７は、前記第５の条件を満たしたと判断すれば、前記室間ファン２１に対して運転指令を送信する。以下に、上述した第１の条件〜第５の条件の全ての条件を所定の条件とした場合における制御装置１７が各室間ファン１５、２１に対して実施する制御について、図３のフローを参照して詳細を説明する。
●［制御装置の処理手順］
【００２１】
まず居住者は入力部１７ａより所望する前記所定の濃度「Ｍｏ、例えば３０００ｐｐｍ」、前記第２の所定の温度「Ｔ２、例えば１７℃」、前記第１の所定の温度差「ΔＴ１、例えば７℃」、前記第１の所定の相対湿度「Φ１、例えば７０％ＲＨ」、前記第１の所定の絶対湿度差「ΔＸ１、例えば２ｇ／ｋｇＤＡ」、前記第１の所定の温度「Ｔ１、例えば１７℃」、前記第１の所定の時刻「ｔ１、例えば２３：００」、前記第１の所定の時刻差「Δｔ１、例えば１時間」の各数値を設定して、自動運転を開始する（ステップＳ１）。そして居間１０の濃度「Ｍａ」＞所定の濃度「Ｍｏ」であるか否かを判断する（ステップＳ３）。居間１０の二酸化炭素濃度「Ｍａ」＞所定の二酸化炭素濃度「Ｍｏ」である場合には、室間ファン１５に対して運転指令を送信して運転（ステップＳ５）して居間１０の二酸化炭素を含む空気を廊下３０へ送風して居間１０の過剰二酸化炭素を排出して二酸化炭素濃度を下げ前記ステップ３へ戻るループを形成する。一方、居間１０の二酸化炭素濃度「Ｍａ」＞所定の二酸化炭素濃度「Ｍｏ」でない場合には、居間１０の温度「Ｔａ」＞第１の所定の温度「Ｔ１」であるか否かを判断する（ステップＳ７）。
【００２２】
居間１０の温度「Ｔａ」＞第１の所定の温度「Ｔ１」である場合には、所定の時刻「ｔ１」−現在の時刻「ｔ」＜第１の所定の時刻差「Δｔ１」であるか否かを判断する（ステップＳ９）。所定の時刻「ｔ１」−現在の時刻「ｔ」＜第１の所定の時刻差「Δｔ１」である場合には、室間ファン２１に対して運転指令を送信して運転（ステップＳ１１）して居間１０の暖かい空気を寝室２０へ送風して寝室２０の温度を上げ前記ステップ７へ戻るループを形成する。このようにして、例えば居住者が就寝する１時間前から、室間ファン２１によって居間１０の暖かい空気を寝室２０へ送り寝室２０を暖めることができるため、就寝時には寝室２０が暖かくなっている。そのため、寝室２０に空調機１６を設置しなくても居間１０の暖かい空気で寝室２０を暖めることができるため省エネとなり総合的な暖房用エネルギー消費を低減できる。また居住者が居間１０から寝室２０へ移動しても既に寝室２０は暖まっているため温度変化を余り感じることがなくヒートショック対策に効果的である。一方、居間１０の温度「Ｔａ」＞第１の所定の温度「Ｔ１」でない場合には、もしくは居間１０の温度「Ｔａ」＞第１の所定の温度「Ｔ１」であるが第１の所定の時刻「ｔ１」−現在の時刻「ｔ」＜第１の所定の時刻差「Δｔ１」でない場合には、室間ファン２１に対して停止指令を送信する（ステップＳ１３）。なお、室間ファン２１が停止状態であれば停止のままである。
【００２３】
次に居間１０の温度「Ｔａ」＞第２の所定の温度「Ｔ２」であるか否かを判断する（ステップＳ１５）。居間１０の温度「Ｔａ」＞第２の所定の温度「Ｔ２」である場合には、居間１０の温度「Ｔａ」−廊下３０の温度「Ｔｃ」＞第１の所定の温度差「ΔＴ１」であるか否かを判断する（ステップＳ１７）。居間１０の温度「Ｔａ」−廊下３０の温度「Ｔｃ」＞第１の所定の温度差「ΔＴ１」である場合には、室間ファン１５に対して運転指令を送信して運転（ステップＳ５）して居間１０の暖かい空気を廊下３０へ送風して廊下３０の空気の温度を上げ前記ステップ３へ戻るループを形成する。このように居間１０の暖かい空気を利用して廊下３０も暖めることにより、廊下３０に空調機１６を設置しなくても居間１０の暖かい空気で廊下３０を暖めることができるため省エネとなり総合的な暖房用エネルギー消費を低減できる。また居住者が居間１０から廊下３０へ移動しても廊下３０も暖まっているため温度変化を余り感じることがなくヒートショック対策に効果的である。
【００２４】
一方、居間１０の温度「Ｔａ」＞第２の所定の温度「Ｔ２」でない場合には、もしくは居間１０の温度「Ｔａ」＞第２の所定の温度「Ｔ２」であるが居間１０の温度「Ｔａ」−廊下３０の温度「Ｔｃ」＞第１の所定の温度差「ΔＴ１」でない場合には、居間１０の相対湿度「Φａ」＞第１の所定の相対湿度「Φ１」であるか否かを判断する（ステップＳ１９）。居間１０の相対湿度「Φａ」＞第１の所定の相対湿度「Φ１」である場合には、室間ファン１５に対して運転指令を送信して運転（ステップＳ５）して居間１０の湿った空気を廊下３０へ送風して居間１０の空気の過剰水分を排出して湿度を下げ前記ステップ３へ戻るループを形成する。このように居間１０の相対湿度に上限値を設けて高湿度とならないようにして、居間１０を快適な居住空間としている。
【００２５】
一方、居間１０の相対湿度「Φａ」＞第１の所定の相対湿度「Φ１」でない場合には、居間１０の絶対湿度「Ｘａ」−廊下３０の絶対湿度「Ｘｃ」＞第１の所定の絶対湿度差「ΔＸ１」であるか否かを判断する（ステップＳ２１）。居間１０の絶対湿度「Ｘａ」−廊下３０の絶対湿度「Ｘｃ」＞第１の所定の絶対湿度差「ΔＸ１」である場合には、室間ファン１５に対して運転指令を送信して運転（ステップＳ５）して居間１０の湿った空気を廊下３０へ送風して居間１０の空気の過剰水分を排出して湿度を下げ前記ステップ３へ戻るループを形成する。このように居間１０の絶対湿度と廊下３０の絶対湿度の絶対湿度差を少なくしていることにより、居住者が絶対湿度差に影響を受けやすい皮膚疾患（例えば、アトピー性皮膚炎等）の患者であっても快適な空間で居住することができる。一方、居間１０の絶対湿度「Ｘａ」−廊下３０の絶対湿度「Ｘｃ」＞第１の所定の絶対湿度差「ΔＸ１」でない場合には、室間ファン１５に対して停止指令を送信して停止する（ステップＳ２３）。
【００２６】
以上の処理の繰り返しによって、制御装置１７は室間ファン１５の運転−停止によって居間１０の二酸化炭素濃度を「３０００ｐｐｍ」以下にでき、居間１０の温度が「１７℃」より高ければ、居間１０の温度と廊下３０の温度の温度差を「７℃」以下にでき、居間１０の相対湿度を「７０％ＲＨ」以下にでき、居間１０の絶対湿度と廊下３０の絶対湿度の絶対湿度差を「２ｇ／ｋｇＤＡ」以下にできる。また制御装置１７は室間ファン２１の運転―停止によって居間１０の温度が「１７℃」より高く且つ「２３：００」と現在の時刻との時刻差が「１時間」以内であれば、居間１０の温度を「１７℃」以下もしくは「２３：００」まで居間１０の温かい空気を寝室２０へ送風することができる。また居間１０から廊下３０へ送られた空気は前記開口部３３を介して前記バス４０に設置の常時運転の排気ファン４１により屋外へ排出される居間１０〜廊下３０〜バス４０の順に換気通路が形成されるために、廊下３０の空気の二酸化炭素が高濃度もしくは高湿度のままの状態になることなく換気される。
【００２７】
■［第２の実施の形態（夏季）］
次に第２の実施の形態（夏季）について説明するが、［各部屋の内部構成］において、空調機１６は居間１０の室内温度が所定の設定値（例えば、２７℃）となるように冷房運転している。また［制御装置］の構成は、上述した第１の実施の形態（冬季）の場合と同じであるため説明は省略する。
【００２８】
●［所定の条件］
この所定の条件は、各室間ファン１５、２１毎に異なるため個別に説明する。
（１）室間ファン１５を運転する所定の条件とは、上述した第１の実施の形態の第１の条件と下記ａ）〜ｃ）に記す第６〜第８の条件の少なくとも１つである。
ａ）第６の条件は、居間１０の第１の温度計１２で測定した温度「Ｔａ」＜第４の所定の温度「Ｔ４」であり、且つ第２の温度計３２で測定した温度「Ｔｃ」−第１の温度計１２で測定した温度「Ｔａ」＞第２の所定の温度差「ΔＴ２」である。この第４の所定の温度「Ｔ４」は、例えば「２８℃」であり、第２の所定の温度差「ΔＴ２」は、例えば「７℃」である。
ｂ）第７の条件は、廊下３０の第２の湿度計３１で測定した相対湿度「Φｃ」＞第２の所定の相対湿度「Φ２」である。この第２の所定の相対湿度「Φ２」は、例えば「７０％ＲＨ」である。
ｃ）第８の条件は、廊下３０の第２の湿度計３１で測定した絶対湿度「Ｘｃ」−居間１０の第１の湿度計１１で測定した絶対湿度「Ｘａ」＞第２の所定の絶対湿度差「ΔＸ２」である。この第２の所定の絶対湿度差「ΔＸ２」は、例えば「２ｇ／ｋｇＤＡ」である。
【００２９】
（２）室間ファン２１を運転する所定の条件とは、下記ｄ）に記す第９の条件である。
ｄ）第９の条件は、居間１０の第１の温度計１１で測定した温度「Ｔａ」＜第３の所定の温度「Ｔ３」であり、且つ第２の所定の時刻「ｔ２」−現在時刻「ｔ」＜第２の所定の時刻差「Δｔ２」である。この第３の所定の温度「Ｔ３」は、例えば「２８℃」であり、第２の所定の時刻「ｔ２」は、例えば「２３：００」であり、この第２の所定の時刻差「Δｔ２」は、例えば「１時間」である。
このように制御装置１７は前記第１の条件及び第６〜第８の条件の少なくとも１つの条件を満たしたと判断すれば前記室間ファン１５に対して運転指令を送信し、同様に制御装置１７は、前記第９の条件を満たしたと判断すれば、前記室間ファン２１に対して運転指令を送信する。以下に、上述した第１の条件及び第６〜第９の条件の全ての条件を所定の条件とした場合における制御装置１７が各室間ファン１５、２１に対して実施する制御について、図４のフローを参照して詳細を説明する。
【００３０】
●［制御装置の処理手順］
まず居住者は入力部１７ａより所望する前記所定の濃度「Ｍｏ、例えば３０００ｐｐｍ」、前記第４の所定の温度「Ｔ４、例えば２８℃」、前記第２の所定の温度差「ΔＴ２、例えば７℃」、前記第２の所定の相対湿度「Φ２、例えば７０％ＲＨ」、前記第２の所定の絶対湿度差「ΔＸ２、例えば２ｇ／ｋｇＤＡ」、前記第３の所定の温度「Ｔ３、例えば２８℃」、前記第２の所定の時刻「ｔ２、例えば２３：００」、前記第２の所定の時刻差「Δｔ２、例えば１時間」の各数値を設定して、自動運転を開始する（ステップＳ１０１）。居間１０の濃度「Ｍａ」＞所定の濃度「Ｍｏ」であるか否かを判断する（ステップＳ１０３）。居間１０の二酸化炭素濃度「Ｍａ」＞所定の二酸化炭素濃度「Ｍｏ」である場合には、室間ファン１５に対して運転指令を送信して運転（ステップＳ１０５）して居間１０の二酸化炭素を含む空気を廊下３０へ送風して居間１０の過剰二酸化炭素を排出して二酸化炭素濃度を下げ前記ステップ１０３へ戻るループを形成する。一方、居間１０の二酸化炭素濃度「Ｍａ」＞所定の二酸化炭素濃度「Ｍｏ」でない場合には、居間１０の温度「Ｔａ」＜第３の所定の温度「Ｔ３」であるか否かを判断する（ステップＳ１０７）。
【００３１】
居間１０の温度「Ｔａ」＜第３の所定の温度「Ｔ３」である場合には、第２の所定の時刻「ｔ２」−現在の時刻「ｔ」＜第２の所定の時刻差「Δｔ２」であるか否かを判断する（ステップＳ１０９）。第２の所定の時刻「ｔ２」−現在の時刻「ｔ」＜第２の所定の時刻差「Δｔ２」である場合には、室間ファン２１に対して運転指令を送信して運転（ステップＳ１１１）して居間１０の冷たい空気を寝室２０へ送風して寝室２０の温度を下げ前記ステップ１０７へ戻るループを形成する。このようにして、例えば居住者が就寝する１時間前から、室間ファン２１によって居間１０の冷たい空気を寝室２０へ送り寝室２０を冷やすことができるため、就寝時には寝室２０が冷えて涼しくなっている。そのため、寝室２０に空調機１６を設置しなくても居間１０の冷たい空気で寝室２０を冷やすことができるため省エネとなり総合的な冷房用エネルギー消費を低減できる。一方、居間１０の温度「Ｔａ」＜第３の所定の温度「Ｔ３」でない場合には、もしくは居間１０の温度「Ｔａ」＜第３の所定の温度「Ｔ３」であるが第２の所定の時刻「ｔ２」−現在の時刻「ｔ」＜第２の所定の時刻差「Δｔ２」でない場合には、室間ファン２１に対して停止指令を送信する（ステップＳ１１３）。なお、室間ファン２１が停止状態であれば停止のままである。
【００３２】
次に居間１０の温度「Ｔａ」＜第４の所定の温度「Ｔ４」であるか否かを判断する（ステップＳ１１５）。居間１０の温度「Ｔａ」＜第４の所定の温度「Ｔ４」である場合には、廊下３０の温度「Ｔｃ」−居間１０の温度「Ｔａ」＞第２の所定の温度差「ΔＴ２」であるか否かを判断する（ステップＳ１１７）。廊下３０の温度「Ｔｃ」−居間１０の温度「Ｔａ」＞第２の所定の温度差「ΔＴ２」である場合には、室間ファン１５に対して運転指令を送信して運転（ステップＳ１０５）して居間１０の冷たい空気を廊下３０へ送風して廊下３０の空気の温度を下げ前記ステップ１０３へ戻るループを形成する。このように居間１０の冷たい空気を利用して廊下３０も冷やすことにより、廊下３０に空調機１６を設置しなくても居間１０の冷たい空気で廊下３０を冷やすことができるため省エネとなり総合的な冷房用エネルギー消費を低減できる。
【００３３】
一方、居間１０の温度「Ｔａ」＜第４の所定の温度「Ｔ４」でない場合には、もしくは居間１０の温度「Ｔａ」＜第４の所定の温度「Ｔ４」であるが廊下３０の温度「Ｔｃ」−居間１０の温度「Ｔａ」＞第２の所定の温度差「ΔＴ２」でない場合には、廊下３０の相対湿度「Φｃ」＞第２の所定の相対湿度「Φ２」であるか否かを判断する（ステップＳ１１９）。居間１０の相対湿度「Φｃ」＞第２の所定の相対湿度「Φ２」である場合には、室間ファン１５に対して運転指令を送信して運転（ステップＳ１０５）して居間１０の乾燥した空気を廊下３０へ送風して廊下３０の空気の相対湿度を下げ前記ステップ１０３へ戻るループを形成する。このように廊下３０の相対湿度に上限を設けて高湿度とならないようにして、廊下３０を快適な居住空間としている。
【００３４】
一方、廊下３０の相対湿度「Φｃ」＞第２の所定の相対湿度「Φ２」でない場合には、廊下３０の絶対湿度「Ｘｃ」−居間１０の絶対湿度「Ｘａ」＞第２の所定の絶対湿度差「ΔＸ２」であるか否かを判断する（ステップＳ１２１）。廊下３０の絶対湿度「Ｘｃ」−居間１０の絶対湿度「Ｘａ」＞第２の所定の絶対湿度差「ΔＸ２」である場合には、室間ファン１５に対して運転指令を送信して運転（ステップＳ１０５）して居間１０の乾燥した空気を廊下３０へ送風して廊下３０の絶対湿度を下げ前記ステップ１０３へ戻るループを形成する。このように居間１０の絶対湿度と廊下３０の絶対湿度の絶対湿度差を少なくしていることにより居住者が絶対湿度差に影響を受けやすい皮膚疾患（例えば、アトピー性皮膚炎等）の患者であっても快適な居住空間にすることができる。一方、廊下３０の絶対湿度「Ｘｃ」−居間１０の絶対湿度「Ｘａ」＞第２の所定の絶対湿度差「ΔＸ２」でない場合には、室間ファン１５に対して停止指令を送信して停止する（ステップＳ１２３）。
【００３５】
以上の処理の繰り返しによって、制御装置１７は室間ファン１５の運転−停止によって居間１０の二酸化炭素濃度を「３０００ｐｐｍ」以下にでき、居間１０の温度が「２８℃」より低ければ、廊下３０の温度と居間１０の温度の温度差を「７℃」以下にでき、居間１０の湿度を「７０％ＲＨ」以下にでき、居間１０の湿度と廊下３０の湿度の湿度差を「２ｇ／ｋｇＤＡ」以下にできる。また制御装置１７は室間ファン２１の運転―停止によって居間１０の温度が「２８℃」より低く且つ「２３：００」と現在の時刻との時刻差が「１時間」以内であれば、居間１０の温度を「２８℃」以上もしくは「２３：００」まで居間１０の冷たい空気を寝室２０へ送風することができる。また居間１０から廊下３０へ送られた空気は前記開口部３３を介して前記バス４０に設置の常時運転の排気ファン４１により屋外へ排出される居間１０〜廊下３０〜バス４０の順に換気通路が形成されるために、廊下３０の空気の二酸化炭素が高濃度もしくは低湿度のままの状態になることなく換気される。
【００３６】
■［第３の実施の形態（中間季）］
●［各部屋の内部構成］
次に第３の実施の形態（中間季）について説明するが、［各部屋の内部構成］において、室間ファン２１および空調機１６の運転は無い構成となる。その他は第１の実施の形態（夏季）及び第２の実施の形態（冬季）と同じであるために説明は省略する。
【００３７】
●［制御装置］
この第３の実施の形態（中間季）における制御装置１７は、上述した第１の実施の形態（夏季）及び第２の実施の形態（冬季）の［制御装置］と比較して室間ファン２１および空調機１６の運転は無い構成となり、その他は第１の実施の形態（夏季）及び第２の実施の形態（冬季）と同じであるために説明は省略する。
【００３８】
●［所定の条件］
室間ファン１５を運転する所定の条件とは、上述した第１の実施の形態及び第２の実施の形態の第１の条件と下記ａ）〜ｃ）に記す第１０〜第１２の条件の少なくとも１つである。
ａ）第１０の条件は、居間１０の第１の温度計１２で測定した温度「Ｔａ」＞第５の所定の温度「Ｔ５」である。この第５の所定の温度「Ｔ５」は、例えば「２８℃」である。
ｂ）第１１の条件は、居間１０の第１の湿度計１１で測定した相対湿度「Φａ」＞第３の所定の相対湿度「Φ３」である。この第３の所定の相対湿度「Φ３」は、例えば「７０％ＲＨ」である。
ｃ）第１２の条件は、居間１０の第１の湿度計１１で測定した絶対湿度「Ｘａ」−廊下３０の第２の湿度計３１で測定した絶対湿度「Ｘｃ」＞第３の所定の絶対湿度差「ΔＸ３」である。この第３の所定の絶対湿度差「ΔＸ３」は、例えば「２ｇ／ｋｇＤＡ」である。
【００３９】
このように制御装置１７は前記第１の条件及び第１０の条件〜第１２の条件の少なくとも１つの条件を満たしたと判断すれば前記室間ファン１５に対して運転指令を送信する。以下に、上述した第１の条件及び第１０〜第１２の条件の全ての条件を所定の条件とした場合における制御装置１７が室間ファン１５に対して実施する制御について、図５のフローを参照して詳細を説明する。
●［制御装置の処理手順］
【００４０】
まず居住者は入力部１７ａより所望する前記所定の濃度「Ｍｏ、例えば３０００ｐｐｍ」、前記第５の所定の温度「Ｔ５、例えば２８℃」、前記第３の所定の相対湿度「Φ３、例えば７０％ＲＨ」、前記第３の所定の絶対湿度差「ΔＸ３、例えば２ｇ／ｋｇＤＡ」の各数値を設定して、自動運転を開始する（ステップＳ２０１）。そして居間１０の濃度「Ｍａ」＞所定の濃度「Ｍｏ」であるか否かを判断する（ステップＳ２０３）。居間１０の二酸化炭素濃度「Ｍａ」＞所定の二酸化炭素濃度「Ｍｏ」である場合には、室間ファン１５に対して運転指令を送信して運転（ステップＳ２０５）して居間１０の二酸化炭素を含む空気を廊下３０へ送風して居間１０の過剰二酸化炭素を排出して二酸化炭素濃度を下げ前記ステップ２０３へ戻るループを形成する。一方、居間１０の二酸化炭素濃度「Ｍａ」＞所定の二酸化炭素濃度「Ｍｏ」でない場合には、居間１０の温度「Ｔａ」＞第５の所定の温度「Ｔ５」であるか否かを判断する（ステップＳ２０７）。
【００４１】
居間１０の温度「Ｔａ」＞第５の所定の温度「Ｔ５」である場合には、室間ファン１５に対して運転指令を送信して運転（ステップＳ２０５）して居間１０の暖かい空気を廊下３０へ送風して居間１０の空気の温度を下げ前記ステップ２０３へ戻るループを形成する。一方、居間１０の温度「Ｔａ」＞第５の所定の温度「Ｔ５」でない場合には、居間１０の相対湿度「Φａ」＞第３の所定の相対湿度「Φ３」であるか否かを判断する（ステップＳ２０９）。居間１０の相対湿度「Φａ」＞第３の所定の相対湿度「Φ３」である場合には、室間ファン１５に対して運転指令を送信して運転（ステップＳ２０５）して居間１０の高湿度の空気を廊下３０へ送風して居間１０の空気の湿度を下げ前記ステップ２０３へ戻るループを形成する。
【００４２】
一方、居間１０の相対湿度「Φａ」＞第３の所定の相対湿度「Φ３」でない場合には、居間１０の絶対湿度「Ｘａ」−廊下３０の絶対湿度「Ｘｃ」＞第３の所定の絶対湿度差「ΔＸ３」であるか否かを判断する（ステップＳ２１１）。居間１０の絶対湿度「Ｘａ」−廊下３０の絶対湿度「Ｘｃ」＞第３の所定の絶対湿度差「ΔＸ３」である場合には、室間ファン１５に対して運転指令を送信して運転（ステップＳ２０５）して居間１０の湿った空気を廊下３０へ送風して居間１０の空気の過剰水分を排出して湿度を下げ前記ステップ２０３へ戻るループを形成する。このように居間１０の絶対湿度と廊下３０の絶対湿度の絶対湿度差を少なくしていることにより、居住者が絶対湿度差に影響を受けやすい皮膚疾患（例えば、アトピー性皮膚炎等）の患者であっても快適な空間で居住することができる。一方、居間１０の絶対湿度「Ｘａ」−廊下３０の絶対湿度「Ｘｃ」＞第３の所定の絶対湿度差「ΔＸ３」でない場合には、室間ファン１５に対して停止指令を送信して停止する（ステップＳ２１３）。
【００４３】
以上の処理の繰り返しによって、制御装置１７は室間ファン１５の運転−停止によって居間１０の二酸化炭素濃度を「３０００ｐｐｍ」以下にでき、居間１０の温度が「２８℃」以下にでき、居間１０の相対湿度を「７０％ＲＨ」以下にでき、居間１０の絶対湿度と廊下３０の絶対湿度の絶対湿度差を「２ｇ／ｋｇＤＡ」以下にできる。また居間１０から廊下３０へ送られた空気は前記開口部３３を介して前記バス４０に設置の常時運転の排気ファン４１により屋外へ排出される居間１０〜廊下３０〜バス４０の順に換気通路が形成されるために、廊下３０の空気の二酸化炭素が高濃度もしくは高湿度のままの状態になることなく換気される。
【００４４】
上述した内容は、あくまでも本発明の一実施の形態に関するものであって、本発明が上記内容に限定されることを意味するものではない。
また、以上（≧）、以下（≦）、より大きい（＞）、より小さい（＜）等は、等号を含んでも含んでいなくても良い。
また、本実施の形態で使用した数値は一例であり、この数値に限定されるものではない。
また、第１の実施の形態及び第３の実施の形態では、居間１０と廊下３０の絶対湿度差の検出を、居間１０の第１の湿度計１１で測定した絶対湿度「Ｘａ」−廊下３０の第２の湿度計３１で測定した絶対湿度「Ｘｃ」で実施する例を説明したが、これに限定されるものでなく、逆に廊下３０の第２の湿度計３１で測定した絶対湿度「Ｘｃ」−居間１０の第１の湿度計１１で測定した絶対湿度「Ｘａ」で実施しても構わない。その場合は検出値が負となれば絶対値にして検出する。また第２の実施の形態でも同様である。
【図面の簡単な説明】
【００４５】
【図１】本発明の建物の空調システムの一実施例を示す説明図である。
【図２】制御装置１７と各機器の構成を示すブロック図である。
【図３】第１の実施の形態（夏季）において制御装置１７で実施される処理手順の例について説明するフローである。
【図４】第２の実施の形態（冬季）において制御装置１７で実施される処理手順の例について説明するフローである。
【図５】第３の実施の形態（中間季）において制御装置１７で実施される処理手順の例について説明するフローである。
【符号の説明】
【００４６】
１      建物
１０    居間
１１    第１の湿度計
１２    第１の温度計
１３    濃度計
１４    給気口
１５    室間ファン
１６    空調機
１７    制御装置
１７ａ  入力部
２０    寝室
２１    室間ファン
２２    開口
３０    廊下
３１    第２の湿度計
３２    第２の温度計
３３    開口
４０    バス
４１    排気ファン
【図１】
2005090824.tif 000003
【図２】
2005090824.tif 000004
【図３】
2005090824.tif 000005
【図４】
2005090824.tif 000006
【図５】
2005090824.tif 000007